(57)【要約】【課題】  ワンアクション操作かつ片手で容易に開閉操作可能で重量のある衣類へも使用可能な折畳みハンガーを提供する。【解決手段】  本発明は吊り掛け部が固定された基部の第１回転軸に第１肩部アーム、第２肩部アームが回転可能に支持され、両肩部アームの上部に第１固定部、第２固定部、第１指掛けフック、第２指掛けフックを有し、第１固定部を第２肩部アームの一部分に設けられた第２非固定部に仮固定することにより開状態となりこれを維持し、当該箇所の仮固定を解除することにより閉状態となることを特徴とする折畳みハンガー。【選択図】図１
2017086512.tif 000002
【特許請求の範囲】
【請求項１】
一端より第１指掛けフックおよび第１固定部を備えた第1肩部アームと、一端より第２指掛けフックおよび第２固定部を備えることを可能とする第２肩部アームが、上端に吊り掛け部を固定した基部の第１回転軸において回転可能かつ交差状に軸支されており、前記第２肩部アームには前記第１固定部を仮固定可能な第２非固定部を有することを特徴とする折畳みハンガー。
【請求項２】
請求項１記載の折畳みハンガーにおいて、さらに前記第１肩部アーム下端の第２回転軸および前記第２肩部アーム下端の第３回転軸において回転可能に支持された第１底辺アームおよび第２底辺アームが底辺中央の第４回転軸で互いに回転可能に連結されており、前記第２から第４回転軸のいずれかにストッパーを有することを可能とする折畳みハンガー。
【請求項３】
請求項１または請求項２記載の折畳みハンガーにおいて、さらに前記基部に回転可能に支持されたロック機構部を有し、前記ロック機構部には前記第１肩部アーム上部および前記第２肩部アーム上部に当接可能な固定部材を有することを特徴とする折畳みハンガー。
【発明の詳細な説明】
【技術分野】
【０００１】
本発明は、折畳み可能なハンガーに関する。
【背景技術】
【０００２】
従来、衣類やタオルなどに使用されるハンガーは二等辺三角形のフレームや、衣類の肩部に当接する二本のアームからなる部材の上部にフックや挟持具などの吊り掛け部が備わったものが一般的である。しかしながら、この形状のハンガーはＴシャツ等の衣類に使用する際、ハンガーを衣類の首開口部から挿入しようとすると、衣類の首開口部の幅と比較してハンガーの方が大きい為、衣類の首開口部が伸びてしまう欠点があった。また、衣類をハンガーから取り外す際も同様に、首開口部から取り出すと前述の理由により首開口部が伸びてしまうという欠点があった。それらを回避する為、衣類の裾の開口部からハンガーを挿入、および取り外しする方法もあるが、これは裾開口部から首開口部までの衣類の内側にハンガーを通すことになる為、一連の洗濯干し作業やハンガーに衣類を掛ける、または外す作業を繰り返すような状況において煩わしい作業であった。
【０００３】
上記欠点を解決すべく、二等辺三角形状のハンガーや、衣服の肩部に当接する二本のアームからなるハンガーにおいて、様々な折畳み式のハンガーが考案されている。
【０００４】
衣服の肩部に当接する二本のアームからなるハンガーにおいて、基部にある解除駒を解除することにより、衣類の肩に当接する支持杆が自重で下がって折畳み状態となり、これにより掛けていた衣類が自重で落下する構造になっており、衣類をハンガーより外す際はワンアクション操作が可能となる先行技術も知られている（特許文献１参照）。
【０００５】
底辺にアームのあるタイプ、つまり使用時は二等辺三角形状のハンガーにおいて、底辺中央の回転軸に取り付けられたねじりコイルばねの作用により底辺部の水平が保たれ、結果的にハンガー形状が保たれており、そして、左右の肩部のアームを手で狭めるように操作するとハンガーを閉じる動作が可能となる先行技術も知られている（特許文献２参照）。
【先行技術文献】
【特許文献】
【０００６】
【特許文献１】特開２０１３−１５８４６３号公報
【特許文献２】特開２０１３−２４８３６６号公報
【発明の概要】
【発明が解決しようとする課題】
【０００７】
特許文献１記載のハンガーにおいて衣類をハンガーに掛ける際、ハンガーを首開口部に挿入した後に左右二本の支持杆を上方に持ち上げる操作が必要になるが、二本の支持杆が独立している為、この操作はワンアクション操作では不可能であり、さらに両手を必要とした。
【０００８】
特許文献２記載のハンガーにおいて、ハンガーの開閉操作に大きく関係しているのが底辺中央部に備えられたねじりコイルばねである。その為、そのばね力が強いと左右の肩部を閉じる操作に大きな力が必要となり手で閉じるのが困難となる。また、反対にばね力が弱いと衣類の首開口部から挿入してハンガーの肩部を広げる際、衣類との摩擦抵抗他によりその開きが不十分となってしまう。一方、底辺部が水平にロックされているため、ハンガーを閉じる際には底辺中央部に上方向の力を加えて内側に折り曲げた後、左右の肩部を閉じる操作をしなければならず、操作に両手を必要とした。
【０００９】
本発明は、上記課題を解決する為になされたものであり、片手の操作かつワンアクションで開閉が可能な折畳みハンガーを提供することを目的とする。
【課題を解決するための手段】
【００１０】
上記課題を解決する為に、本発明の折畳みハンガーは以下の通り構成される。
【００１１】
上部に吊り掛け部が固定された基部に回転可能かつ交差状に軸支された第１肩部アームおよび第２肩部アームを備えており、第１肩部アームの上部はへの字型に曲げられ、上端より第１指掛けフック、第１固定部を備えている。さらには、第１固定部は第２肩部アームの一部分に設けられた第２非固定部を挟持する手段で仮固定することが可能となる。
【００１２】
一方、第２肩部アームの上部もまたへの字型に曲げられ、上端より第２指掛けフック、第２固定部を備えており、第２固定部は第１肩部アームの一部分に設けられた第1非固定部に当接させることが可能である。
【００１３】
これらにより、本発明の折畳みハンガーはハンガーの開状態を維持することが可能となる。また反対に、第１固定部の第２非固定部への仮固定を解除することにより、本発明の折畳みハンガーを閉状態へ変化させることが可能となる。
【００１４】
なお、第１肩部アームおよび第２肩部アームの「上」、「下」とは本発明の折畳みハンガーの吊り掛け部を上側とした通常の使用状態において、両肩部アームが閉じた状態での肩部アームの上方向を「上」とし、その端を「上端」と表現する。また、肩部アームの下方向を「下」とし、その端を「下端」と表現する。さらに、第１回転軸より上側を「肩部アーム」の「上部」とし、下側を「肩部アーム」の「下部」とする。
【００１５】
本発明の折畳みハンガーは上述の手段のみでも構成可能となるが、第１肩部アーム、および第２肩部アーム下端の第２回転軸、および第３回転軸に回転可能に支持された第１底辺アーム、および第２底辺アームを備えることも可能である。第１底辺アームと第２底辺アームはハンガー底辺中央の第４回転軸において互いに回転可能に連結されている。さらに、折畳みハンガーの開状態での両肩部アームの角度および長さは第１底辺アームと第２底辺アームが底辺中央部を頂点とする略山形となるように構成されている。しかしながら、折畳みハンガー全体の弾性変形を考慮して、底辺中央部の上方への屈曲を補助する為のストッパーを第２回転軸、第３回転軸、および第４回転軸のいずれかに設けることも可能である。
【００１６】
一方、基部上部に回転可能に支持されたロック機構部を有することが可能であり、ロック機構部には下方向に伸びる２つの固定部材を有している。折畳みハンガーの開状態において、前記固定部材を折畳みハンガーの側面方向に向けることにより、前記固定部材下端が第１および第２肩部アームの上部と当接し、第１および第２肩部アームの第１回転軸に対する回転を阻止することが可能となる。その結果、第１および第２肩部アームがより強固に折畳みハンガーの開状態を維持する事が可能となる。
【発明の効果】
【００１７】
本発明の折畳みハンガーは第１固定部と第２非固定部を仮固定すること、およびその仮固定を解除することで折畳みハンガーの開状態、閉状態を変化させることが可能であり、その操作は片手かつ、ワンアクションで行うことが可能である。つまり、衣類の首開口部からハンガーを挿入する際に首開口部を伸ばすことなくハンガーを挿入可能なことはもちろん、折畳みハンガーの操作はワンアクションで行うことが可能となる。
【００１８】
また、本発明の折畳みハンガーは底辺アームを有する事により、ワンアクションで開閉可能な折畳みハンガーでありながら、Ｔシャツ等の衣類だけでなく底辺アームにタオル類を掛けて干すことも可能となる。
【００１９】
さらには、ロック機構部の機能により重い衣類をハンガーに掛ける際も、第１および第２肩部アームの閉じようとする力のモーメントを阻止することが可能となる為、折畳みハンガーの開閉操作は軽い力で行いたいが、重い衣類を掛ける際もハンガー形状を維持し続ける必要があるという相反する要求を満たすことが可能となる。
【図面の簡単な説明】
【００２０】
【図１】本発明において肩部アームのみの実施形態１の開状態を示す正面図
【図２】図１を閉状態にした場合の正面図
【図３】本発明におけるロック機構部の非ロック状態の拡大図
【図４】図３をロック状態にした場合の拡大図
【図５】本発明を手で閉じる操作を示す正面図
【図６】本発明を衣類の首開口部に挿入する途中の状態を示す正面図
【図７】本発明を衣類に挿入して広げた状態を示す正面図
【図８】図４におけるA-Aの断面図
【図９】図４におけるB-Bの断面図
【図１０】本発明において底辺アームを備えた実施形態２の開状態を示す正面図
【図１１】図１０を閉状態にした場合の正面図
【図１２】第２指掛けフック、第２固定部を省略した実施形態３の正面図
【図１３】肩部アームに指掛け穴を設けた実施形態４の正面拡大図
【発明を実施するための形態】
【００２１】
以下、本発明の実施の形態を図１〜図１３に基づいて説明する。
【００２２】
本発明の実施形態１の折畳みハンガーは基部（１）の上部に円弧状のフックに代表される吊り掛け部（２３）が固定され、基部（１）の下部に設けられた第１回転軸（２）において第１肩部アーム（１７）および第２肩部アーム（１８）が互いに回転可能かつ交差状に軸支されており、第１肩部アーム（１７）の上部にはへの字型に曲げられた先に第１固定部(１１）と第１指掛けフック（１２）を備える。また、第２肩部アーム（１８）の上部にはへの字型に曲げられた先に第２固定部（１４）と第２指掛けフック（１５）を備えたことを基本構成としている。
【００２３】
図１、図２に示す実施形態１の折畳みハンガーは開状態では第１肩部アーム（１７）下部と第２肩部アーム（１８）下部が山型となり、閉状態では両肩部アーム（１７、１８）下部は鋭角に山型となる。
【００２４】
吊り掛け部（２３）は主に物干し竿などの棒状物体に引っ掛けることができる円弧状のフックが使用されるが、円弧状のフックに限定されるものではなく棒状物体を挟持するような構造や、数個のハンガーを連結して使用するべくフレームに固定可能な構造でもかまわない。また、吊り掛け部（２３）は基部（１）と一体化する構造でも、着脱可能な構造でもかまわない。
【００２５】
第１肩部アーム（１７）は基部（１）の第１回転軸（２）において基部（１）に軸支されているが、それより上部に第１固定部（１１）と第１指掛けフック（１２）が設けられている。また、第２肩部アーム（１８）は基部（１）の第１回転軸（２）において基部（１）に軸支されているが、それより上部に第２固定部（１４）と第２指掛けフック（１５）が設けられている。
【００２６】
第２非固定部（１６）は第２肩部アーム（１８）上に、第1回転軸（２）より１０ｍｍ〜５０ｍｍ下方に設けられており、第１固定部(１１）は第２非固定部（１６）に仮固定可能な構造となっている。その仮固定方法としては図８に示すように弾性材料からなる第１固定部(１１)が第２非固定部（１６）を包むように挟持する機構となる。しかしながら、この仮固定方法は上記に限定されるものではなく、第１固定部（１１）または第２非固定部（１６）に設けられた磁石による仮固定方法など、二者が仮固定可能であればいかなる方法も可能である。
【００２７】
第１非固定部（１３）は第１肩部アーム（１７）上に、第１回転軸（２）より１０ｍｍ〜５０ｍｍ下方に設けられており、第２固定部（１４）は第１非固定部（１３）に当接される構造となっている。第１固定部(１１）が第２非固定部（１６）を挟持、第２固定部（１４）が第１非固定部（１３）に当接することにより、第１肩部アーム（１７）および第２肩部アーム（１８）が開状態を維持することが可能となる。
【００２８】
第１肩部アーム（１７）、第２肩部アーム（１８）の上端にはそれぞれ第１指掛けフック（１２）、第２指掛けフック（１５）が設けられており、図５に示すように第１および第２指掛けフック（１２、１５）と第２および第１肩部アーム（１８、１７）の間に親指（７１）と任意の指（７２）（ここでは便宜上中指とする）を引っ掛け、中央部に向かって二本の指を近づけるようにすると、第１固定部（１１）の第２非固定部（１６）への仮固定が解除され、さらに指同士を近づけると第１固定部（１１）、第１指掛けフック（１２）および第２固定部（１４）、第２指掛けフック（１５）が上方に持ち上がるとともに、第１および第２肩部アーム（１７、１８）下部が下がり、折畳みハンガーが閉状態となる。
【００２９】
閉状態となった折畳みハンガーを図６に示すように衣類（８２）の首開口部（８３）より差し込んだ後、第１固定部(１１）と第２非固定部（１６）を近づけるようにし、最終的に第１固定部(１１）を第２非固定部（１６）に仮固定することにより、第１および第２肩部アーム（１７、１８）下部が広がって折畳みハンガーが開状態となり、図７に示すように衣類（８２）を掛けた状態を維持することが可能となる。これらの操作においては、片手に衣類（８２）を持ち、もう一方の手で折畳みハンガー（８１）をワンアクションで操作することが可能である。なお、本発明に適用される衣類とは、Ｔシャツを始め、スウェットシャツやＹシャツ、ジャンパー等の主に上半身に着用する衣類を指し、特に首開口部が狭い衣類に有用である。
【００３０】
掛けた衣類を折畳みハンガーから取り外す際は、第１および第２指掛けフック（１２、１５）と第２および第１肩部アーム（１８、１７）の間に親指（７１）と中指（７２）をかけ、指を中央に近づけるように力を加えることにより、第１固定部(１１）の第２非固定部（１６）に対する仮固定が解除され、さらに指同士を近づけると第１および第２固定部（１１、１４）と第１および第２指掛けフック（１２、１５）が上方に持ち上がるとともに、第１および第２肩部アーム（１７、１８）下部が下がり、折畳みハンガーが閉状態となる。したがって、掛けた衣類が自重で落下する為、スムーズな衣類の取り外しが可能である。また、この操作も片手でワンアクション操作が可能となる。
【００３１】
片手で操作可能であるため、例えば片手が不自由な人が衣類をハンガーに掛ける際、台の上や座った状態の膝の上に衣類をのせて、片手で折畳みハンガーを持ち、衣類の首開口部（８３）へ両肩部アーム（１７、１８）下部を差し込んで広げるという一連の作業を片手のみで行うことが可能である。
【００３２】
第１固定部(１１）を第２非固定部（１６）に仮固定する力が強ければ、折畳みハンガーを閉じる操作、つまりは第１固定部(１１）の第２非固定部（１６）への仮固定を解除する操作に大きな力を必要とする。反対に仮固定する力が弱ければ、重い衣類（例えばスウェットシャツやジャンパー等）を掛ける際に、その重みで第１固定部(１１）と第２非固定部（１６）の仮固定が不本意に解除されてしまう危険性が高まる。これにより両肩部アーム（１７、１８）下部が閉じてしまうとハンガー本来の役割を果たさなくなってしまう。この問題を解決する為に図３、図４に示すロック機構部（２１）が有用となる。
【００３３】
Ｔシャツ等の軽い衣類を掛ける際や、閉じた状態を維持する際、または開閉操作をする際はロック機構部（２１）の固定部材（２２）を図３に示すようにハンガー本体に正対する方向に配置し、ロック機構を解除状態で使用する。反対に、重い衣類などを掛ける際は、衣類の首開口部（８３）から閉状態の折畳みハンガー（８１）を差し込み、前述の一連の操作により折畳みハンガー（８１）を開状態にした後、ロック機構部（２１）の固定部材（２２）を図４に示すように図３の状態から９０度回転させ、固定部材（２２）下端を両肩部アーム（１７、１８）の上部に当接させロック機構をロック状態にすることで、両肩部アーム（１７、１８）の第１回転軸（２）回りの回転を阻止することが可能となる。これにより折畳みハンガーが開いた状態をより強固に維持することが可能となる。したがって、重い衣類を掛けた際も不本意に折畳みハンガーが閉じてしまうようなことがなく、いかなる状況でもハンガー本来の機能を確実に果たすことが可能である。
【００３４】
本発明の折畳みハンガーの材質は主に軟質プラスチック又は硬質プラスチックで構成可能であるが、場合によっては木材や金属でも構成可能であるし、エラストマー等の柔らかい材料を含むことも可能である。また、各回転軸は基部（１）や各アームの一部を変形させて軸としてもよいし、各回転軸において本体と同素材または異素材の棒状物体を軸として構成してもよい。
【００３５】
次に実施形態1の折畳みハンガーに底辺アームを設けた実施形態２の折畳みハンガーについて説明する。実施形態２の折畳みハンガーの開閉操作は前述の実施形態１の方法と同様であるが、実施形態２の折畳みハンガーは、図１０、図１１に示すように底辺アームを設けたことにより、衣類だけでなくタオルなどの洗濯物を底辺アーム部分に掛けることが可能となる。
【００３６】
第１および第２肩部アーム（１７、１８）下端の第２および第３回転軸（５１、５２）に回転可能に支持された第１底辺アーム（５３）および第２底辺アーム（５４）を備えており、両者は底辺中央の第４回転軸（５５）で回転可能に連結されている。また、第１肩部アーム（１７）と第２肩部アーム（１８）の角度と長さにより第１底辺アーム（５３）と第２底辺アーム（５４）は１５０°以上１８０°未満の略山型形状に保たれるべく構成されている。しかしながら、底辺アームに物を掛けると折畳みハンガー全体の弾性変形により底辺アームの略山型形状を維持不可能になる可能性があるため、その回避手段としてストッパー（５６）を備えることも可能である。
【００３７】
ストッパー（５６）は第１底辺アーム（５３）と第２底辺アーム（５４）を略山型形状に維持可能であればいかなる方法でもよく、図示するように第４回転軸（５５）に設けてもよいし、第２回転軸（５１）または第３回転軸（５２）に設けてもよい。
【００３８】
上述の底辺アームが上方に屈曲している構造により、折畳みハンガーを閉じる操作の際に両底辺アーム（５３、５４）に触れる必要は無く、第１指掛けフック（１２）および第２指掛けフック（１５）周辺の操作のみでも両底辺アーム（５３、５４）が滑らかに内側に折れ曲がり、折畳みハンガーを閉じる作業が可能となる。
【００３９】
次に図１２に示す実施形態３の折畳みハンガーについて説明する。基本的な構造および操作方法は前述の実施形態１および実施形態２の折畳みハンガーと同様であるが、第２固定部（１４）と第２指掛けフック（１５）を省略していることを特徴としており、これらが無くとも本発明の折畳みハンガーを構成することは可能となる。
【００４０】
第１指掛けフック(１２)を持ち、第１固定部(１１)を第２非固定部（１６）に近づけ、さらには仮固定することにより両肩部アーム(１７、１８)下部を開く操作が可能となり、さらにはその状態を維持することも可能となる。また、第１指掛けフック(１２)と第２肩部アーム（１８）との間に指をかけ、中心方向に力を加えることにより、第１固定部(１１）の第２非固定部（１６）への仮固定が解除され、さらに第１固定部（１１）と第１指掛けフック（１２）が上方に持ち上げられると第１および第２肩部アーム（１７、１８）下部が下がり、折畳みハンガーが閉状態となる。
【００４１】
次に図１３に示す実施形態４の折畳みハンガーについて説明する。基本的な構造および操作方法は前述の実施形態１、実施形態２および実施形態３の折畳みハンガーと同様であるが、第２非固定部（１６）付近に手の指を差し込むことが可能な指掛け穴（９１）を設けたことを特徴とする。折畳みハンガーの開閉作業は前述の通りであるが、特に、この指掛け穴（９１）に手の指を差し込み、引っ掛けることにより本体を保持可能となるため、主に開操作の際により簡単に操作することが可能となる。
【符号の説明】
【００４２】
１・・・基部
２・・・第１回転軸
１１・・・第１固定部
１２・・・第１指掛けフック
１３・・・第１非固定部
１４・・・第２固定部
１５・・・第２指掛けフック
１６・・・第２非固定部
１７・・・第１肩部アーム
１８・・・第２肩部アーム
２１・・・ロック機構部
２２・・・固定部材
２３・・・吊り掛け部
５１・・・第２回転軸
５２・・・第３回転軸
５３・・・第１底辺アーム
５４・・・第２底辺アーム
５５・・・第４回転軸
５６・・・ストッパー
７１・・・親指
７２・・・中指
８１・・・折畳みハンガー
８２・・・衣類
８３・・・首開口部
９１・・・指掛け穴
【図１】
2017086512.tif 000003
【図２】
2017086512.tif 000004
【図３】
2017086512.tif 000005
【図４】
2017086512.tif 000006
【図５】
2017086512.tif 000007
【図６】
2017086512.tif 000008
【図７】
2017086512.tif 000009
【図８】
2017086512.tif 000010
【図９】
2017086512.tif 000011
【図１０】
2017086512.tif 000012
【図１１】
2017086512.tif 000013
【図１２】
2017086512.tif 000014
【図１３】
2017086512.tif 000015